(57)【特許請求の範囲】
【請求項１】
コネクタハウジングと、該コネクタハウジング内に区画された収容室に差し込まれる複数の接続端子と、表側がコネクタハウジングの前記収容室側と嵌合され裏側がプリント回路基板側に固定されるスペーサブロックとを備えたプリント回路基板接続用コネクタにおいて、
前記接続端子は、前記ハウジングに差し込まれるコンタクト部の高さ方向略中央位置で相手側端子を挿入させると共に、前記プリント回路基板の導電性回路パターンと導通される端子先端部が該接続端子の軸芯から離間して配置され、かつ、前記の離間距離は前記コンタクト部の外周位置の離間距離よりも長く設定されており、
前記スペーサブロックは、各端子先端部を挿通させるための挿通窓が、前記接続端子の軸芯位置を中心として、前記ハウジングの収容室の並びに沿って上下２列に形成され、
前記複数の接続端子それぞれが、前記端子先端部を前記挿通窓の上下いずれか一方に挿通される向きで前記収容室に収容されることを特徴とするプリント回路基板接続用コネクタ。
【請求項２】
前記スペーサブロックは、前記プリント回路基板に対向する前記裏側の面に位置決め用突起を備えたことを特徴とする請求項１記載のプリント回路基板接続用コネクタ。
【発明の詳細な説明】
【０００１】
【発明の属する技術分野】
本発明はプリント回路基板の面実装用多極コネクタに関し、特に前記プリント回路基板面に半田接合される雌形接続端子の構造に関する。
【０００２】
【従来の技術】
プリント回路基板の面実装に多用されている従来の代表的な多極コネクタとしては、例えば、図１２の分解斜視図、及び図１３の組み立て状態の斜視図に示すように、前面に雄型接続端子（図示せず）が挿入可能な複数個の接続開口部１ａを長手方向に上下二列に配設したハウジング１と、接続開口部１ａ内側の収容室（図示せず）に収容される導電性金属プレス成形体の雌型接続端子２と、ハウジング１の後面の略全域に設けた開口部（図示せず）に嵌着するスペーサブロック３とを具備したものがある。
【０００３】
前記スペーサブロック３は、両端部にねじ穴を設けたフランジ部４と、両フランジ部４間にハウジング１の後面に嵌着するバー状の嵌着部５と、ハウジング１の両端部に突設したロック片６に係合可能なように両フランジ部４から立ち上げた係合板７とを具備して成る。そして、収容室を個々に区分するために嵌着部５の上下面に突設した複数個の突条壁５ａとハウジング１の後面の開口部内周壁によって上下２列の複数個の狭隘な間隙を画成させていた。
この狭隘な間隙には、内側収容室に収容された雌型接続端子２の端子先端部２ａが挿通され、スペーサブロック３から外部に露出した端子先端部２ａはプリント回路基板面上の所定位置に半田接合される。
【０００４】
【発明が解決しようとする課題】
しかしながら、上述した従来のプリント回路基板接続用コネクタは、雌型接続端子２が密集した状態で２列に多極配列されているので、プリント回路基板面上にプリントされた導電性回路パターンの幅が広い場合、雌型接続端子２を導電性回路パターンの幅に合わせて間引くことで、雄型接続端子２の配列間隔を広くする必要が生じる。その結果、プリント回路基板接続用コネクタにデッドスペースが生じるという難点があった。
このデッドスペースは、導電性回路パターンが互いに交差あるいは短絡回路を形成する場合、更に増加する傾向にあり、コネクタの組み立て時において、必要とされる雄型接続端子２が全数差し込まれているかを確認する作業を困難にしていた。
【０００５】
本発明は、このような従来の問題点を解消するためになされたもので、スペース効率が高く、基板設計の自由度を高められ、しかも組み立てが容易なプリント回路基板接続用コネクタを提供することを目的としている。
【０００６】
【課題を解決するための手段】
上記目的達成のため、本発明に係る請求項１記載のプリント回路基板用コネクタは、コネクタハウジングと、該コネクタハウジング内に区画された収容室に差し込まれる複数の接続端子と、表側がコネクタハウジングの前記収容室側と嵌合され裏側がプリント回路基板側に固定されるスペーサブロックとを備えたプリント回路基板接続用コネクタにおいて、前記接続端子は、前記ハウジングに差し込まれるコンタクト部の高さ方向略中央位置で相手側端子を挿入させると共に、前記プリント回路基板の導電性回路パターンと導通される端子先端部が該接続端子の軸芯から離間して配置され、かつ、前記の離間距離は前記コンタクト部の外周位置の離間距離よりも長く設定されており、前記スペーサブロックは、各端子先端部を挿通させるための挿通窓が、前記接続端子の軸芯位置を中心として、前記ハウジングの収容室の並びに沿って上下２列に形成され、前記複数の接続端子それぞれが、前記端子先端部を前記挿通窓の上下いずれか一方に挿通される向きで前記収容室に収容されることを特徴とする。
【０００７】
このプリント回路基板接続用コネクタでは、接続端子の端子先端部をスペーサブロックの上下２列の挿通窓のうち、いずれか一方の側の挿通窓から選択的に突出させることができるため、上下各列に対する端子先端部の配列間隔を、プリント回路基板面上の導電性回路パターンの幅やその回路パターンに応じて同一の接続端子を用いて自在に変更することができる。その結果、接続端子を間引くことなく全ての収容室が有効に利用され、コネクタの設置スペースを小さく抑えることができると共に、接続端子の装填確認作業が容易となり、組み立て作業効率が向上する。また、基板設計の自由度を大きく向上できる。
【０００８】
請求項２記載のプリント回路基板接続用コネクタは、前記スペーサブロックが、前記プリント回路基板に対向する前記裏側の面に位置決め用突起を備えたことを特徴とする。
【０００９】
このプリント回路基板接続用コネクタは、スペーサブロックが、プリント回路基板に対向する裏側の面に位置決め用突起を突設してあるので、位置決め用突起をプリント回路基板に穿設された開口孔に挿入することによって、プリント回路基板に対する接続位置決めを容易且つ正確に行える。
【００１０】
【発明の実施の形態】
本発明のプリント回路基板用コネクタの一実施態様について、添付した図面に基づいて以下に詳述する。図１（ａ）は本発明のプリント回路基板用コネクタの分解斜視図で、図１（ｂ）は本発明のプリント基板用コネクタの要部を組み立てた状態を示す斜視図、図２は雌型接続端子の平面図、図３は雌型接続端子の側面図、図４は雌型接続端子の正面図、図５は図１（ｂ）のＡ方向矢視図、図６は本発明のプリント回路基板用コネクタのスペーサブロックの一部を破断して示した側面図、図７は図６におけるスペーサブロックの底面図、更に図８は本発明のプリント回路基板用コネクタの一部を破断して示した側面図である。
【００１１】
本発明のプリント回路基板用コネクタは、図１に示すように、樹脂材料等からなるコネクタハウジング（ハウジング）１０と、導電性金属プレス成形体の雌形接続端子１２と、前記ハウジング１０に嵌着する樹脂材料等からなるスペーサブロック１４とを備えて構成される。
更に詳しくは、前記ハウジング１０は、細長の長方体形状であり、その長方体形状のハウジング１０のスペーサブロック１４とは反対側の面に、長手方向である中心線ＣＬ1に沿って複数個の接続開口部１０ａが配設されている（図５参照）。また、接続開口部１０ａの内側空間には、個別の収容室ＣＶを形成する複数個の隔壁１６が形成され（図１（ａ）参照）、ハウジング１０のスペーサブロック１４側における長手方向の略全域には、スペーサブロック１４の一部を収容するための凹部となる嵌着開口部１０ｂが形成されている。更に、前記ハウジング１０の長手方向両端側及び中央部には、スペーサブロック１４を係止するためのロック片１８が突設されている。
【００１２】
雌型接続端子１２は、プレスによる一体形成品であって、プリント回路基板の導電性回路パターンと導通される端子先端部１２ａは、ハウジング１０に差し込まれるコンタクト部４０から側片部４１を介して接続され、軸芯線ＣＬ2に対して端子先端部１２ａが離間して設けられている（図２、図３参照）。また、端子先端部１２ａの軸芯線ＣＬ2からの離間距離は、コンタクト部４０の外周位置の離間距離よりも長く設定されている。この雌型接続端子１２は、図１に示す端子先端部１２ａが図中下側に位置する状態、又はこの状態から雌型接続端子１２の軸芯線ＣＬ2を中心に１８０°回転させて端子先端部１２ａが図中上側に位置する状態でハウジング１０の収容室ＣＶに収容される。このため、コンタクト部４０は軸芯線ＣＬ2を対称軸とする長方形中空体に形成されている。また、この雌型接続端子１２のコンタクト部４０の内部には接点部４０ａが設けられ（図３及び図４参照）、前記各状態において、図８に示す軸芯線ＣＬ2と接点部４０ａとの間隔が略同じに保たれる反転可能な構造となっている。即ち、雌型接続端子１２のコンタクト部４０の上下高さ中央位置で、相手側となる雄型接続端子のタブを挿入可能に、つまり雄型接続端子を軸芯線ＣＬ2を中心として挿入可能となるように雌型接続端子１２を形成している。本実施形態においては、接点部４０ａをコンタクト部４０の上下高さの中央付近に設けている。
【００１３】
スペーサブロック１４は、ハウジング１０よりも幅広で平板状の基底部２０と、基底部２０の中心線ＣＬ1に沿ってハウジング１０の嵌着開口部１０ｂに対して嵌着可能に突設された嵌合ブロック部２２（図６参照）とを有している。更に、図１に示す端子先端部１２ａが下側となる雌型接続端子１２の状態と、この状態から雌型接続端子１２の軸芯線ＣＬ2を中心として１８０°回転した状態において、各状態で端子先端部１２ａの位置に対応した基底部２０の位置には、それぞれ上下一対の挿通窓２４が配設されている（図７参照）。即ち、挿通窓２４は１つの雌型接続端子１２に対して２つ設けられ、中心線ＣＬ1方向に沿って上下２列に複数個形成されている。
また、嵌合ブロック部２２の両端部には、前記係止板１８に係合可能な係合板２８が突設され（図６参照）、該係合板２８の外方に位置する基底部２０にはプリント回路基板１００に対する取り付け用ねじ穴２６ａを開口したフランジ部２６が延設されている。また、嵌合ブロック部２２の中央部には、ハウジング１０の長手方向中央部のロック片１８に係合可能な突起部２７が形成されている。
さらに、プリント回路基板に対面するスペーサブロック１４の裏面には、位置決め用突起３０が突設されている。この位置決め用突起３０を、プリント回路基板の所定位置に穿設された開口孔に挿入してスペーサブロック１４を固定することにより、プリント回路基板用コネクタを簡単且つ正確に基板上で位置決めすることができる。
【００１４】
このプリント回路基板接続用コネクタは、雌型接続端子１２のコンタクト部４０をハウジング１０の収容室ＣＶに挿入した後、雌型接続端子１２の端子先端部１２ａが基底部２０の挿通窓２４に挿入されるように、嵌合ブロック部２２を嵌着開口部１０ｂに嵌着させることでコネクタの組み立てが完了する。
【００１５】
このような本発明のプリント回路基板用コネクタは、プリント回路基板の導電性回路パターンが次の場合にその効果を大きく発揮できる。
まず、図９に示すように、プリント回路基板１００の導電性回路パターン１０１の幅が狭い場合は、雌型接続端子１２のコンタクト部４０を軸芯線ＣＬ2に対して全て同一の向き（回転角度）を以て嵌着開口部１０ｂを経て収容室ＣＶの内部に嵌入する。この構成によれば、片側だけに導電性回路パターンを形成するので、コネクタの設置スペースを小さくでき、基板端部に極近い位置であってもコネクタを安定して固定することができる。
【００１６】
また、図１０に示すように、導電性回路パターン１０１の幅が広い場合は、雌型接続端子部１２を軸芯線ＣＬ2に対して、例えば交互に反転させた角度を以て収容室ＣＶに収容する。これにより、いずれの雌型接続端子１２をも間引くことなく、スペース効率を高めた状態で有効利用することが可能となる。
さらに、図１１に示すように、導電性回路パターン１０１が互いに交差あるいは短絡回路を形成する場合は、雌型接続端子１２を軸芯線ＣＬ2に対して適宜反転あるいは同一に揃えた角度を以て収容室ＣＶに収容する。これにより、任意の方向に半田付け部を設定でき、基板設計の自由度を向上できる。
このように、上述した各導電性回路パターンに対して、同一形状の雌型接続端子１２を用いて対処でき、プリント回路基板用コネクタの汎用性を高めることができるため、コストダウンに寄与することができる。そして、空きの収容室ＣＶを生じさせることがないため、雌型接続端子１２のハウジング１０への装填忘れを未然に防止でき、コネクタの信頼性やコネクタ組み立て時の作業効率を向上できる。
【００１７】
また、スペーサブロック全体が平板状に成形されるため、コネクタの曲げ剛性が高められ、且つプリント回路基板に接触する面積も増加して、コネクタ全体をプリント回路基板面に対して強固に固定することが可能となる。
【００１８】
従って、本発明によれば、前述した従来技術の問題点を解消し、比較的コンパクトな構成で組み立てが容易なプリント回路基板用コネクタを提供することが可能となる。
【００１９】
【発明の効果】
本発明のプリント回路基板接続用コネクタによれば、接続端子の端子先端部をスペーサブロックの２列の挿通窓のうち、いずれか一方の側の挿通窓から突出させることができる。このため、プリント回路基板面上の導電性回路パターンの幅やその回路パターンに応じて、端子先端部を同一の接続端子を用いて自在に変更することができる。以て、接続端子を間引くことなく全ての収容室を有効に利用して、コネクタの設置スペースを小さく抑えることができると共に、接続端子の装填確認作業が容易となり、組み立て作業効率が向上する。さらに、基板設計の自由度を大きく向上できる。
また、本発明のプリント回路基板接続用コネクタによれば、プリント回路基板に対向するスペーサブロック裏側の面に位置決め用突起を突設してあるので、位置決め用突起をプリント回路基板に穿設された開口孔に挿入することによって、プリント回路基板に対する接続位置決めを容易且つ正確に行うことができる。
【図面の簡単な説明】
【図１】本発明のプリント回路基板用コネクタの要部の(a)分解斜視図及び(b)組み立てた状態を示す斜視図である。
【図２】雌形接続端子部の平面図である。
【図３】雌形接続端子部の側面図である。
【図４】雌形接続端子部の正面図である。
【図５】図１（ｂ）のＡ方向矢視図である。
【図６】本発明のプリント回路基板用コネクタのスペーサブロックを一部破断して示した側面図である。
【図７】図６におけるスペーサブロックの底面図である。
【図８】本発明のプリント回路基板用コネクタの一部を破断して示した側面図である。
【図９】本発明のプリント回路基板用コネクタの接続例を示す平面図である。
【図１０】本発明のプリント回路基板用コネクタの他の接続例を示す平面図である。
【図１１】本発明のプリント回路基板用コネクタの別の接続例を示す平面図である。
【図１２】従来のプリント回路基板用コネクタの要部の分解斜視図である。
【図１３】従来のプリント回路基板用コネクタの要部を組み立てた状態を示す斜視図である。
【符号の説明】
１０    コネクタハウジング
１０ａ  接続開口部
１０ｂ  嵌着開口部
１２    雌形接続端子
１２ａ  端子先端部
１４    スペーサブロック
１６    隔壁
２０    基底部
２４    挿通窓
３０    位置決め用突起
４０    コンタクト部
ＣＶ    収容室
ＣＬ1  ハウジング及び基底部の長手方向の中心線
ＣＬ2  雄型接続端子部の軸芯線
【図１】
0003934334.tif 000002
【図２】
0003934334.tif 000003
【図３】
0003934334.tif 000004
【図４】
0003934334.tif 000005
【図５】
0003934334.tif 000006
【図６】
0003934334.tif 000007
【図７】
0003934334.tif 000008
【図８】
0003934334.tif 000009
【図９】
0003934334.tif 000010
【図１０】
0003934334.tif 000011
【図１１】
0003934334.tif 000012
【図１２】
0003934334.tif 000013
【図１３】
0003934334.tif 000014